(57)【要約】【課題】吸液時における吸収コアの肌面側への膨張を抑制でき、排泄物の漏れを抑制できる吸収性物品を提供する。【解決手段】吸収コア１１は、吸液ポリマーを有する吸収素材１１１を備えている。吸収コア１１の外面側表面１１ａと外側シート部材１２との間における複数箇所に互いに間隔をあけて略筋状のスペーサが設けられている。このスペーサは、吸収コア１１と外側シート部材１２とを離間させる。吸収コア１１の外面側表面１１ａと外側シート部材１２との間における隣り合うスペーサの間に隙間部３２が設けられている。【選択図】図２
2011024888.tif 000002
【特許請求の範囲】
【請求項１】
着用者の股部を含む領域に装着される吸収性物品であって、
吸液ポリマーを有する吸収素材を備えた吸収コアと、
不透液性を有し、前記吸収コアの外面側に配置された外側シート部材と、
前記吸収コアの肌面側に配置され、少なくとも一部が透液性を有する内側シート部材と、
前記吸収コアの外面側表面と前記外側シート部材との間における複数箇所に互いに間隔をあけて略筋状に設けられ、前記吸収コアと前記外側シート部材とを離間させるスペーサと、
前記吸収コアの前記外面側表面と前記外側シート部材との間における隣り合う前記スペーサの間に設けられた隙間部と、
を備えることを特徴とする吸収性物品。
【請求項２】
請求項１に記載の吸収性物品において、
前記スペーサは、前記吸収コアの外面側表面と前記外側シート部材との間において横方向に互いに離間して略縦方向に沿って略筋状に設けられていることを特徴とする吸収性物品。
【請求項３】
請求項１又は請求項２に記載の吸収性物品において、
前記スペーサは、発泡ホットメルト接着剤によって形成されることを特徴とする吸収性物品。
【発明の詳細な説明】
【技術分野】
【０００１】
本発明は、着用者の股部を含む領域に装着される吸収性物品に関する。
【背景技術】
【０００２】
吸収性物品に備えられる吸収コアには、パルプと吸収ポリマーが用いられる場合が多い。このため、尿等の排泄液を吸収した際、吸収コアは、吸収ポリマーの膨潤等により大きく膨張する傾向がある。ここで、吸収ポリマーの膨張時には、吸収ポリマーの間に空気が巻き込まれて気泡又は隙間が形成される場合が多く、吸収ポリマーが吸収した液体量以上に膨張する傾向がある。
【０００３】
図５は、従来の吸収性物品の断面図の構成を模式的に示す図である。従来の吸収性物品１は、図５に示すように、吸収コア２の外面側及び肌面側に外側シート部材３及び内側シート部材４が配置されている。外側シート部材３は防水用の樹脂フィルムを備えて構成される場合が多いのに対し、内側シート部材４は主に不織布を用いて構成される場合が多いため、外側シート部材３よりも内側シート部材４の方が伸びやすい傾向がある。このため、排泄液の吸収により吸収コア２が膨張した際に、図６に示すように、より伸びやすい内側シート部材４側に向けて吸収コア２が膨張する傾向が強い。このように吸収コア２が肌面側に膨張することにより、着用者の臀部５と、吸収性物品１との間に隙間６が生じる場合がある。このような隙間６は、次回の排尿が行われたときに尿の漏れを誘発するおそれがある。
【０００４】
また、図７に示すように、吸収性物品１に左右の立体ギャザー７が設けられている場合には、上記の如く吸収コア２の肌面側への膨張により、内側シート部材４の立体ギャザー７の横方向の内側のシート面４ａの高さと立体ギャザー７の高さとの差が減少する。これによって、立体ギャザー７により横漏れ防止効果が損なわれ、尿等の排泄物が立体ギャザー７を乗り越えるようにして吸収性物品１の外部に漏れる場合がある。
【０００５】
なお、先行技術文献としては、吸収性性物品に発泡ホットメルト接着剤を用いたものがある（特許文献１）。
【先行技術文献】
【特許文献】
【０００６】
【特許文献１】特開平６−４７０７３号公報
【発明の概要】
【発明が解決しようとする課題】
【０００７】
そこで、本発明の解決すべき課題は、吸液時における吸収コアの肌面側への膨張を抑制でき、排泄物の漏れを抑制できる吸収性物品を提供することである。
【課題を解決するための手段】
【０００８】
上記の課題を解決するため、請求項１の発明では、着用者の股部を含む領域に装着される吸収性物品であって、吸液ポリマーを有する吸収素材を備えた吸収コアと、不透液性を有し、前記吸収コアの外面側に配置された外側シート部材と、前記吸収コアの肌面側に配置され、少なくとも一部が透液性を有する内側シート部材と、前記吸収コアの外面側表面と前記外側シート部材との間における複数箇所に互いに間隔をあけて略筋状に設けられ、前記吸収コアと前記外側シート部材とを離間させるスペーサと、前記吸収コアの前記外面側表面と前記外側シート部材との間における隣り合う前記スペーサの間に設けられた隙間部とを備える。
【０００９】
また、請求項２の発明では、請求項１の発明に係る吸収性物品において、前記スペーサは、前記吸収コアの外面側表面と前記外側シート部材との間において横方向に互いに離間して略縦方向に沿って略筋状に設けられている。
【００１０】
また、請求項３の発明では、請求項１又は請求項２の発明に係る吸収性物品において、前記スペーサは、発泡ホットメルト接着剤によって形成される。
【発明の効果】
【００１１】
請求項１に記載の発明によれば、吸収コアの外面側表面と外側シート部材との間における複数箇所に互いに間隔をあけて略筋状にスペーサが設けられ、そのスペーサによって吸収コアと外側シート部材とが離間される。そして、吸収コアの外面側表面と外側シート部材との間における隣り合うスペーサの間に隙間部が設けられている。それ故、吸液により吸収コアが膨張するときに、吸収コアの外面側表面と外側シート部材との間における隣り合うスペーサの間に設けられた隙間部によって吸収コアが外面側に膨張するスペースを供給できる。これによって、吸収コアが外面側に向けて膨張しやすくなり、吸収コアの肌面側への膨張を抑制できる。その結果、吸液による吸収コアの肌面側への膨張に起因して生じる尿等の排泄物の漏れを抑制できる。
【００１２】
請求項２に記載の発明によれば、スペーサが、吸収コアの外面側表面と外側シート部材との間において横方向に互いに離間して略縦方向に沿って略筋状に設けられている。このため、横方向よりも縦方向の寸法が長い吸収コアに対して、スペーサの数を抑制しながら、吸収コアの外面側表面と外側シート部材との間に効果的に隙間部を形成できる。
【００１３】
請求項３に記載の発明によれば、スペーサが発泡ホットメルト接着剤によって形成されるため、スペーサを形成する発泡ホットメルト接着剤を吸収コアと外側シート部材との接着に兼用できる。その結果、吸収性物品の製造工程の簡略化及びコスト抑制が図れる。
【図面の簡単な説明】
【００１４】
【図１】本発明の一実施形態に係る吸収性物品としての使い捨ておむつの平面図である。
【図２】図１の使い捨ておむつのＡ−Ａ線に沿った断面の構成を模式的に示す断面図である。
【図３】図１の使い捨ておむつが尿を吸収したときの状態を示す断面図である。
【図４】図１の使い捨ておむつの変形例を示す断面図である。
【図５】従来の吸収性物品の断面図である。
【図６】図５の吸収性物品が尿を吸収したときの状態を示す断面図である。
【図７】従来の他の吸収性物品の断面図である。
【発明を実施するための形態】
【００１５】
図１は本発明の一実施形態に係る吸収性物品としての使い捨ておむつ（以下、単に「おむつ」という）の平面図であり、図２はそのおむつのＡ−Ａ線に沿った断面の構成を模式的に示す断面図である。なお、図１及び図２において、横方向Ｘは着用者の左右方向に対応しており、縦方向Ｙは着用者の前後又は上下方向に対応している。また、図１に示すおむつ１０の構成において、図１の図面上における上側がおむつ１０の後側に対応している。
【００１６】
本実施形態に係るおむつ１０は、テープ型又はパンツ型のおむつ等の股部の内側に敷き込まれて用いられるものである（尿パッドと呼ばれる場合がある）。このおむつ１０をテープ型又はパンツ型のおむつ等の股部に敷き込むことにより、おむつの吸液容量が補強され、多量の尿が排尿された場合又は多量の水分を含んだ軟便が排便された場合に対応できるようになる。なお、本実施形態では本発明を尿パッドに適用した場合について説明したが、本発明をテープ型又はパンツ型のおむつに適用してもよい。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００１７】
このおむつ１０は、図１及び図２に示すように、吸収コア１１、外側シート部材１２及び内側シート部材１３を備えている。内側シート部材１３は、少なくとも一部が透液性を有している。また内側シート部材１３は、内側シート部材本体２１、左右の起立シート部２２、及び左右の弾性部材２３を備えている。
【００１８】
吸収コア１１は、着用者が排泄した排泄液（例えば、尿又は便に含まれる水分等）を吸収する。より具体的には、吸収コア１１は、吸液ポリマーを有する吸収素材１１１と、透液性を有し、その吸収素材１１１を包装する包装シート（例えば、ティッシュペーパー）１１２とを備えている。吸収素材１１１は、例えば、集合された繊維により構成された繊維集合体と、その繊維集合体に混入又は添加された吸収ポリマーとによって構成される。あるいは、吸収コア１１の他の構成として、シート状の吸収コア１１の内部に、繊維集合体を用いずに、主に吸収ポリマーを収容する構成も採用可能である。本実施形態では、吸収コア１１の吸収素材１１１の厚み方向から見た外形形状が略砂時計形になっているが、吸収素材１１１の形状として略矩形、略楕円形等の他の形状が採用されてもよい。
【００１９】
包装シート１１２は、例えば吸収素材１１１を巻き込むようにして包んでいる。より具体的には、例えば、包装シート１１２は、包装シート１１２の横方向Ｘの両側の部分が吸収素材１１１の横方向Ｘの両側の側端１１１ａを外面側から肌面側に巻き上げるようにして吸収素材１１１を包み込んでいる。包装シート１１２の横方向Ｘの両側の部分は、吸収素材１１１の肌面側で互いに重ね合わされている。
【００２０】
外側シート部材１２は、不透液性を有し、吸収コア１１の外面側に配置されている。外側シート部材１２は、より具体的には例えば、不織布シートと、その不織布シートの肌面側に貼り合わされた不透液性の樹脂フィルムとを備えて構成されている。不織布シートには、例えば撥水性を有する合成繊維製不織布等が用いられる。樹脂フィルムには、例えばポリエチレン等の合成樹脂製フィルム（不透液性でかつ通気性を有するフィルムが好ましい）等が用いられる。
【００２１】
吸収コア１１の外面側表面１１ａと外側シート部材１２との間には、図２に示すように、複数箇所に互いに間隔をあけて略筋状の発泡ホットメルト接着剤３１が付与されている。この発泡ホットメルト接着剤３１は、本発明に係るスペーサに相当している。なお、本実施形態では、発泡ホットメルト接着剤３１にスペーサとしての機能を持たせたが、発泡ホットメルト接着剤３１に限らず、種々の素材をスペーサとして用いることができる。
【００２２】
より詳細には、略筋状の発泡ホットメルト接着剤３１が、吸収コア１１の外面側表面１１ａと外側シート部材１２との間における複数箇所に、横方向Ｘに互いに間隔をあけて、略縦方向Ｙに沿って設けられている。本実施形態では、発泡ホットメルト接着剤３１が、吸収コア１１の外面側表面１１ａにおける横方向Ｘの両側の縁部１１ｂ又はその近傍と、中央部の３カ所に設けられているが、この構成に限らず、種々の構成が採用可能である。発泡ホットメルト接着剤３１は、おむつ１０の厚み方向に対して適度な厚みを有しており、吸収コア１１と外側シート部材１２とを離間させる。これにより、吸収コア１１の外面側表面１１ａと外側シート部材１２との間における隣り合う発泡ホットメルト接着剤３１の間に、隙間部３２が形成されている。この隙間部３２は、後述するように、吸収コア１１が吸液により膨張する際の逃げスペースとして機能する。
【００２３】
発泡ホットメルト接着剤３１は、ガス（例えば、空気又は窒素ガス等）を混入することによりホットメルト接着剤を発泡させたものであり、ホットメルト接着剤に、固まった状態で立体的な厚みと適度な弾力性を持たせることができるという特性を有している。また、この発泡ホットメルト接着剤３１は、吸収コア１１と外側シート部材１２との接着にも寄与している。
【００２４】
なお、本実施形態では、発泡ホットメルト接着剤３１を吸収コア１１の略縦方向Ｙに沿って略全長Ｌ１１に渡って設けたが、発泡ホットメルト接着剤３１を吸収コア１１の縦方向Ｙの中央部を含む一部の区間にのみ設けてもよい。また、本実施形態では、略筋状の発泡ホットメルト接着剤３１を略縦方向Ｙに沿って設けたが、略横方向Ｘに沿って設けてもよく、あるいは斜め方向に沿って設けてもよい。
【００２５】
内側シート部材１３の内側シート部材本体２１は、吸収コア１１の肌面側に配置されている。左右の起立シート部２２は、内側シート部材本体２１の肌面側において横方向Ｘに間隔をあけて縦方向Ｙに沿って設けられ、内側シート部材本体２１から離反する方向（肌面側）に起立可能となっている。左右の弾性部材２３は、左右の起立シート部２２の先端部に縦方向Ｙに伸張された状態でそれぞれ付与されており、その収縮力によって起立シート部２２を着用者の肌面に向けて起立させる。この弾性部材２３及び起立シート部２２によって立体ギャザーが構成されており、この立体ギャザーにより排泄された尿及び便の横漏れが防止される。
【００２６】
このような内側シート部材１３の内側シート部材本体２１及び起立シート部２２は、例えばトップシート２８及び左右のサイドシート２９によって構成されている。トップシート２６は、透液性を有し、内側シート部材本体２１の横方向Ｘの中央部に縦方向Ｙに沿って配置されている。トップシート２８の材料としては、例えば親水性不織布等が用いられる。
【００２７】
左右のサイドシート２９は、不透液性を有し、トップシート２８の横方向Ｘの両側の部分（例えば、横方向Ｘの両側の縁部）に肌面側から重なるように、縦方向Ｙに沿って配置され、トップシート２８の横方向Ｘの両側の部分（例えば、横方向Ｘの両側の縁部）と接着剤（例えば、ホットメルト接着剤）等の接合手段によって接合されている。サイドシート２９の材料としては、例えば撥水性不織布等が用いられる。サイドシート２９の横方向Ｘの内方側の部分は、トップシート２８から離反する方向（肌面側）に起立可能な構成となっており、起立シート部２２を構成している。なお、本実施形態では、起立シート部２２をサイドシート２９の横方向Ｘの内方側の部分によって構成したが、この構成に限らず、種々の構成が採用可能である。
【００２８】
本実施形態に係るおむつ１０が装着された状態で着用者による排尿等が行われた場合には、排泄された尿が、内側シート部材１３のトップシート２８を透過して、吸収コア１１に到達し、吸収コア１１の吸収素材１１１によって吸収される。このとき、吸収素材１１１に含まれる吸収ポリマーが尿の吸収に伴って膨張するため、図３に示すように、吸収素材１１１が吸収ポリマーの尿の吸収に伴って膨張する。
【００２９】
本実施形態では、上記のように吸液により吸収コア１１が膨張するときに、吸収コア１１の外面側表面１１ａと外側シート部材１２との間における隣り合う略筋状の発泡ホットメルト接着剤３１の間に設けられた隙間部３２によって吸収コア１１が外面側に膨張するスペースを供給できる。これによって、吸収コア１１が外面側に向けて膨張しやすくなり、吸収コア１１の肌面側への膨張を抑制できる。その結果、吸液による吸収コア１１の肌面側への膨張に起因して生じる尿等の排泄物の漏れを抑制できる。
【００３０】
また、発泡ホットメルト接着剤３１が、吸収コア１１の外面側表面１１ａと外側シート部材１２との間において横方向Ｘに互いに離間して略縦方向Ｙに沿って略筋状に設けられている。このため、横方向Ｘよりも縦方向Ｙの寸法が長い吸収コア１１に対して、発泡ホットメルト接着剤３１の数を抑制しながら、吸収コア１１の外面側表面１１ａと外側シート部材１２との間に効果的に隙間部３２を形成できる。
【００３１】
また、発泡ホットメルト接着剤３１がスペーサとしての役割を担っているため、発泡ホットメルト接着剤３１をスペーサと吸収コア１１と外側シート部材１２との接着とに兼用でき、おむつ１０の製造工程の簡略化及びコスト抑制が図れる。
【００３２】
なお、上記の本実施形態に係るおむつ１０の変形例として、以下の図４に示す構成が採用可能である。この図４に示す構成では、包装シート１１２の吸収素材１１１の外面側表面１１１ｂに対向する部分に、該包装シート１１２の一部が開放可能に折り込まれることにより少なくとも１つの折り込み部４１が縦方向Ｙに沿って設けられている。さらに、外側シート部材１２における吸収コア１１の周辺部に位置する部分に、該外側シート部材１２の一部が開放可能に折り込まれることにより少なくとも１つの折り込み部４２が設けられている。これらの折り込み部４１，４２は、発泡ホットメルト接着剤３１の間に形成された各隙間部３２に対向する位置に略縦方向Ｙに沿ってそれぞれ設けられている。なお、折り込み部４１，４２の折り込み形状は、図４に示す形状に限らず、種々の形状が採用可能である。また、折り込み部４１を吸収コア１１の略全長Ｌ１１（図１参照）に渡って設ける構成の他、折り込み部４１を吸収コア１１の縦方向Ｙの中央部を含む一部の区間にのみ設ける構成も採用できる。折り込み部４２についても、おむつ１０の略全長Ｌ１０に渡って設ける構成の他、折り込み部４２をおむつ１０の縦方向Ｙの中央部を含む一部の区間にのみ設ける構成も採用できる。
【００３３】
このような折り込み部４１，４２を設けることにより、吸収コア１１の吸収素材１１１が吸収ポリマーの尿の吸収に伴って膨張する際に、吸収素材１１１の膨張に伴い、吸収コア１１の包装シート１１２の折り込み部４１及び外側シート部材１２の折り込み部４２が開き、吸収素材１１１が外面側に向けて膨張するためのスペースが与えられる。これによって、吸収コア１１の吸収素材１１１が外面側に向けて膨張しやすくなり、吸収コア１１の肌面側への膨張を抑制できる。このため、この折り込み部４１，４２及び上述の隙間部３２の寄与により、吸収コア１１が外面側に向けてさらに膨張しやすくなり、吸収コア１１の肌面側への膨張をより確実に抑制できる。
【００３４】
また、折り込み部４１，４２が発泡ホットメルト接着剤３１の間に形成された各隙間部３２に対向する位置にそれぞれ設けられているため、折り込み部４１，４２の開放動作が発泡ホットメルト接着剤３１によって阻害されることがないとともに、吸収コア１１の外面側における発泡ホットメルト接着剤３１による吸収コア１１の膨張スペースを確保する機能と、折り込み部４１，４２による吸収コア１１の膨張スペースを供給する機能とを確実かつ相乗的に作用させることができる。
【符号の説明】
【００３５】
１０  おむつ、１１  吸収コア、１１ａ  外面側表面、側端、１１１  吸収素材、１１１ａ  側端、１１２  包装シート、１２  外側シート部材、２１  内側シート部材本体、２２  起立シート部、２３  弾性部材、２６，２７  折り込み部、２８  トップシート、２９  サイドシート、３１  発泡ホットメルト接着剤、３２  隙間部、４１，４２  折り込み部、Ｘ  横方向、Ｙ  縦方向。
【図１】
2011024888.tif 000003
【図２】
2011024888.tif 000004
【図３】
2011024888.tif 000005
【図４】
2011024888.tif 000006
【図５】
2011024888.tif 000007
【図６】
2011024888.tif 000008
【図７】
2011024888.tif 000009